(57)【要約】【課題】メンテナンス性を良好にすることができると共に、取付対象の端まで隙間なく、一連の発光面になるように複数連接して取付けることができる照明体及び照明装置を提供する。【解決手段】連接可能な光源モジュール１０，１０…を複数備えてなる照明装置において、複数の光源モジュール１０，１０…を一連に連接する連接機構を備えてなる。連接機構を適切に形成することにより、メンテナンス性を良好にすることができると共に、取付対象の端まで隙間なく、一連の発光面になるように複数連接して取付けることが可能となる。【選択図】図７
2011014317.tif 000002
【特許請求の範囲】
【請求項１】
連接可能な照明体を複数備えてなる照明装置において、
前記複数の照明体を一連に連接する連接機構を備えてなることを特徴とする照明装置。
【請求項２】
矩形状の連接可能な照明体を複数備えてなる照明装置において、
前記複数の照明体を長さ方向に一連に連接するべく、前記複数の照明体間の連接方向に対して略直交する方向から嵌め入れて連接する連接機構を備えてなることを特徴とする照明装置。
【請求項３】
矩形状の光源を備える照明体において、
前記光源が長さ方向に一連になるように、複数連接することが可能なように構成してあることを特徴とする照明体。
【請求項４】
前記照明体を取付対象に取付けるべき取付部材を備え、
該取付部材は、矩形板部と、該矩形板部の長辺側の縁部に立設された対向する２側壁とを備え、該側壁の端部に係合部が設けてあり、
前記照明体は、直方体状の外形をなし、前記係合部に係合する被係合部を有しており、該被係合部を前記係合部に係合させて前記取付部材に取付けたときに、該取付部材の長手方向の両端部と略面一になるように構成してあることを特徴とする請求項１又は２に記載の照明装置。
【請求項５】
前記照明体は、光源と、該光源を保持する保持部材と、該保持部材の前記光源を保持する保持部分に対向する面から前記保持部分の縁部に至る前記光源の周囲を覆って該光源からの光を透過する透光性カバーと、前記保持部材及び透光性カバーにより包囲される空間を閉止する透光性のサイドカバーとを備えてなることを特徴とする請求項４に記載の照明装置。
【請求項６】
前記係合部は、前記側壁の端部を矩形状に切欠いてなり、
前記サイドカバーは、透光板部と、該透光板部に交叉する方向に設けられ、締結部材が挿通される貫通孔を有する取付板部とを備え、前記係合部の端縁に案内されて前記締結部材を移動させることにより前記取付板部を前記係合部に係合させるように構成してあることを特徴とする請求項５に記載の照明装置。
【請求項７】
その光源に電力を供給する電源部を有する第１の照明体と、前記電源部によりその光源に電力を供給される第２の照明体とを含んでなることを特徴とする請求項１，２，４から６の何れか一つに記載の照明装置。
【発明の詳細な説明】
【技術分野】
【０００１】
本発明は、複数連接可能なように構成された照明体及び照明装置に関する。
【背景技術】
【０００２】
室内等の照明に用いられる照明装置として、従来、白熱電球、蛍光灯等の光源を備える照明装置が用いられている。近年、発光ダイオード（以下ＬＥＤという）の高輝度化に伴い、小型、低消費電力、長寿命等の特性を有するＬＥＤを光源として備える照明装置が種々提案されている（例えば、特許文献１参照）。
【０００３】
特許文献１に開示されたライン状照明具は、細長い筐状に形成された筐体と、該筐体内に収容される複数のＬＥＤを長手方向に沿って略直線状に通電可能に配置してなるＬＥＤ基板と、筐体の上面を塞ぐ透明ないし半透明の蓋体とを有するライン状照明具であって、筐体の一端面には凸状端子が、筐体の他端面には前記凸状端子が嵌脱可能な凹状端子が夫々設けてある。この構成により、凸状端子と凹状端子とを嵌合させることによって複数のライン状照明具を直線状に連接して接続して、一連の発光面を得ることができる。
【先行技術文献】
【特許文献】
【０００４】
【特許文献１】実用新案登録第３１５０１８５号公報
【発明の概要】
【発明が解決しようとする課題】
【０００５】
しかしながら、特許文献１に係るライン状照明具は、複数のライン状照明具を凸状端子と凹状端子とを嵌合させることにより接続するように構成してあり、凸状端子がライン状照明具本体から突出しているから、１つのライン状照明具を交換するために、他のライン状照明具も取外す必要があり、メンテナンス性が良くないという問題があった。また、
天井等の取付対象の端まで隙間なく取付けることができないという問題があった。
【０００６】
本発明は斯かる事情に鑑みてなされたものであり、メンテナンス性を良好にすることができると共に、取付対象の端まで隙間なく、一連の発光面になるように複数連接して取付けることができる照明体及び照明装置を提供することを目的とする。
【課題を解決するための手段】
【０００７】
本発明に係る照明装置は、連接可能な照明体を複数備えてなる照明装置において、前記複数の照明体を一連に連接する連接機構を備えてなることを特徴とする。
【０００８】
本発明にあっては、複数の照明体を一連に連接する連接機構を備えているから、連接機構を適切に形成することにより、メンテナンス性を良好にすることができると共に、取付対象の端まで隙間なく、一連の発光面になるように複数連接して取付けることが可能となる。
【０００９】
本発明に係る照明装置は、矩形状の連接可能な照明体を複数備えてなる照明装置において、前記複数の照明体を長さ方向に一連に連接するべく、前記複数の照明体間の連接方向に対して略直交する方向から嵌め入れて連接する連接機構を備えてなることを特徴とする。
【００１０】
本発明にあっては、前記複数の照明体を長さ方向に一連に連接するべく、前記複数の照明体間の連接方向に対して略直交する方向から嵌め入れて連接する連接機構を備えているから、交換時に一つの照明体のみを前記連接方向に対して略直交する方向から取り外すことができる。この結果、メンテナンス性を良好にすることができる。また、取付対象の端まで隙間なく、一連の発光面になるように複数連接して取付けることが可能となる。
【００１１】
本発明に係る照明体は、矩形状の光源を備える照明体において、前記光源が長さ方向に一連になるように、複数連接することが可能なように構成してあることを特徴とする。
【００１２】
本発明にあっては、矩形状の光源を備え、該光源が長さ方向に一連になるように、複数連接することが可能なように構成してあるから、一連の発光面になるように複数連接して取付けることが可能となる。
【００１３】
本発明に係る照明装置は、前記照明体を取付対象に取付けるべき取付部材を備え、該取付部材は、矩形板部と、該矩形板部の長辺側の縁部に立設された対向する２側壁とを備え、該側壁の端部に係合部が設けてあり、前記照明体は、直方体状の外形をなし、前記係合部に係合する被係合部を有しており、該被係合部を前記係合部に係合させて前記取付部材に取付けたときに、該取付部材の長手方向の両端部と略面一になるように構成してあることを特徴とする。
【００１４】
本発明にあっては、矩形板部及び該矩形板部の長辺側の縁部に立設された対向する２側壁を備えてなる取付部材の前記側壁の端部に係合部を設け、直方体状の外形をなす照明体に設けられた被係合部を前記係合部に係合させて前記取付部材に照明体を取付けたときに、照明体と取付部材の長手方向の両端部とが略面一になるよう構成してある。このように構成された照明体を複数連接することにより、メンテナンス性を良好にすることができると共に、取付対象の端まで隙間なく、一連の発光面になるようにすることができる。
【００１５】
本発明に係る照明装置は、前記照明体は、光源と、該光源を保持する保持部材と、該保持部材の前記光源を保持する保持部分に対向する面から前記保持部分の縁部に至る前記光源の周囲を覆って該光源からの光を透過する透光性カバーと、前記保持部材及び透光性カバーにより包囲される空間を閉止する透光性のサイドカバーとを備えてなることを特徴とする。
【００１６】
本発明にあっては、透光性カバーと透光性のサイドカバーにより光源を保持する保持部分を覆っている（光源の光出射方向から保持部分の縁部までの範囲を覆っている）から、照明体を複数連接したときに、照明体と照明体との間に影がほとんどできず、照明体間の継ぎ目を目立たなくすることができ、綺麗な一連の発光面を得ることができる。
【００１７】
本発明に係る照明装置は、前記係合部は、前記側壁の端部を矩形状に切欠いてなり、前記サイドカバーは、透光板部と、該透光板部に交叉する方向に設けられ、締結部材が挿通される貫通孔を有する取付板部とを備え、前記係合部の端縁に案内されて前記締結部材を移動させることにより前記取付板部を前記係合部に係合させるように構成してあることを特徴とする。
【００１８】
本発明にあっては、取付部材に設けた係合部を、側壁の端部を矩形状に切欠いて形成し、前記係合部の端縁に案内されて、サイドカバーの取付板部に設けた締結部材を移動させることにより、取付板部を係合部に係合させるようにしてある。この構成により、照明体を取付部材に位置決めした状態（長手方向の中心合わせをした状態）にて容易に取付けることができる。
【００１９】
本発明に係る照明装置は、その光源に電力を供給する電源部を有する第１の照明体と、前記電源部によりその光源に電力を供給される第２の照明体とを含んでなることを特徴とする。
【００２０】
本発明にあっては、その光源に電力を供給する電源部を有する第１の照明体と、前記電源部によりその光源に電力を供給される第２の照明体とを含んで構成した場合においても同様に、前述した効果を得ることができる。
【発明の効果】
【００２１】
本発明によれば、メンテナンス性を良好にすることができると共に、取付対象の端まで隙間なく、一連の発光面になるように複数連接して取付けることができる。
【図面の簡単な説明】
【００２２】
【図１】本発明に係る照明装置の模式的分解斜視図である。
【図２】本発明に係る照明装置の模式的正面図である。
【図３】図２の III−III 線による模式的断面図である。
【図４】本発明に係る照明装置の模式的平面図である。
【図５】電源モジュールを備えていない照明装置の模式的正面図である。
【図６】電源モジュールを備えていない照明装置の模式的平面図である。
【図７】光源モジュールを複数連接してなる照明装置の説明図である。
【図８】プレートの他の例を示す図である。
【発明を実施するための形態】
【００２３】
以下、本発明をその実施の形態を示す図面に基づいて詳述する。図１は、本発明に係る照明装置１００の模式的分解斜視図である。図２は、本発明に係る照明装置１００の模式的正面図である。図３は、図２の III−III 線による模式的断面図である。図４は、本発明に係る照明装置１００の模式的平面図である。
【００２４】
図中１は、指向性を有する光源本体としてのＬＥＤである。ＬＥＤ１は、例えば、ＬＥＤ素子と、該ＬＥＤ素子を封止し、蛍光体が分散された封止樹脂と、入力端子及び出力端子とを備えてなる表面実装型ＬＥＤである。なお、ＬＥＤ１の配光特性は、ランバート分布であり、ＬＥＤ１から出射される光は、ＬＥＤ１の光軸となす角度が９０°以下の範囲に含まれ、指向角は約１２０°である。
【００２５】
このＬＥＤ１は、矩形状をなすプリント配線基板であるＬＥＤ基板１１に実装してある。ＬＥＤ基板１１の一面１１ａには、複数のＬＥＤ１，１…が等間隔にマトリクス状に配列して実装してある。ＬＥＤ基板１１には、複数のＬＥＤ１，１…間を通電する配線パターン（図示せず）、ＬＥＤ１，１…に一定の電流を流すための制限抵抗（図示せず）、基板コネクタ１２，１２が設けてある。そして、後述する電源モジュールからの電線、及びＬＥＤ基板１１，１１…間を接続する電線が、ＬＥＤ基板１１，１１…上の基板コネクタ１２，１２…に接続してある。矩形状の光源は、これら複数のＬＥＤ１，１…と、該ＬＥＤ１，１…が実装されたＬＥＤ基板１１とを備えてなる。
【００２６】
この複数のＬＥＤ１，１…が実装されたＬＥＤ基板１１は、他面１１ｂにて保持部材２に保持してある。保持部材２は、軽量かつ放熱性が良い金属製であり、例えばアルミニウム製である。保持部材２は、ＬＥＤ基板１１を介してＬＥＤ１，１…をその一面（保持部分）２１ａにて保持する保持板部２１と、該保持板部２１の他面の長辺側の縁部に立設された互いに対向する２つの傾斜板部である側壁２２，２２とを備えている。これら２つの側壁２２，２２は、保持板部２１から側壁２２の端部に向けて離隔する方向に、保持板部２１の垂線とθ（例えば、１０°）の角度をなして傾斜するように設けてある。なお、この側壁２２の高さ（保持板部２１から側壁２２の端部までの長さ）は、後述するネジ２６，２６…を取り付けることが可能な範囲内にて、可能な限り低くしてあることが望ましい。なお、側壁２２の傾きθは、側壁２２の高さを低くした場合においても、ネジ２６，２６…をドライバ等の工具にて締付け作業が行いやすいように、設定してある。例えば、側壁２２の高さを低くした場合、θ＝０°に設定したとき、ドライバの柄と取付対象との間隔が非常に狭くなり、作業者の手が取付対象に当たってしまい、作業がしづらい。一方、θを適切に設定することにより、ドライバの柄と取付対象との間隔を適宜確保することが可能となるから、作業を容易に行うことが可能となる。
【００２７】
この保持部材２の保持板部２１の一面２１ａには、複数（図において４つ）のＬＥＤ基板１１，１１…が、他面１１ｂの側が保持板部２１の一面２１ａの側になるように、光源（ＬＥＤ１，１…及びＬＥＤ基板１１）の長さ方向に一連になるように、ネジにより固定して取付けてある。これにより、複数のＬＥＤ基板１１，１１…により構成される発光面が細長い一連の発光面となる。なお、ＬＥＤ基板１１及び保持板部２１間には、伝熱シート又はグリースが介装してあることが望ましい。
【００２８】
各側壁２２，２２の長手方向の両端部には、ネジ穴２２ａ，２２ａが夫々設けてある。また、側壁２２には、ネジ穴２２ａ，２２ａの内側に適長離隔して貫通穴２２ｂ，２２ｂ…が設けてある。
【００２９】
保持板部２１と側壁２２，２２との連設部には、保持板部２１に略平行をなすように外側に延設され、延設端が二股に分かれてなる係合溝２３，２３が側壁２２，２２の長手方向に沿って形成してある。なお、この係合溝２３の横断面形状は、図３に示すように、Ｌ字状をなしている。
【００３０】
この係合溝２３，２３には、ＬＥＤ１，１…からの光を透過する透光性カバー３が係合させてある。透光性カバー３は、例えば、拡散剤が適量添加された半透明なポリカーボネート樹脂製である。透光性カバー３は、矩形板部３１と、該矩形板部３１の長辺側の縁部に立設された側壁部３２，３２と、該側壁部３２，３２の矩形板部３１の反対側の端部から該矩形板部３１に平行に内向きに延設され、延設端から側壁部３２に平行に延設されてなる係合部３３，３３とを備えている。指向性を有するＬＥＤ１，１…から出射した光は、透光性カバー３の矩形板部３１及び側壁部３２，３２により一部が反射されるともに、他の部分が拡散されつつ透過する。この結果、透光性カバー３の矩形板部３１及び側壁部３２，３２が、ＬＥＤ１，１…の光出射方向とは異なる方向にも出射可能とする出射部、及び指向性を有するＬＥＤ１，１…から出射した光を室内等の照明装置の主たる照明空間に加えて、天井等の取付対象を明るく照明することを可能とするための配光部として機能する。なお、この係合部３３の横断面形状は、図３に示すように、Ｌ字状であり、係合溝２３に整合して形成してある。この透光性カバー３は、係合部３３，３３を係合溝２３，２３に係合させて保持部材２に取付けてある。これにより透光性カバー３は、光源本体であるＬＥＤ１，１…が保持される保持部材２の一面（保持部分）２１ａに対向する面を含み、該面から一面２１ａの周縁部に至るＬＥＤ１，１…の周囲を覆うように、保持部材２に取付けられることになる。なお、本実施の形態においては、透光性カバー３の形状を横断面形状がＵ字状になるようにしてあるが、ＬＥＤ１，１…の光出射側を覆い、ＬＥＤ１，１…の光出射位置近傍まで覆うようにしてあればよく、傾斜又は湾曲する面を有していてもよい。
【００３１】
保持部材２及び透光性カバー３の長手方向の両端には、保持部材２及び透光性カバー３により包囲される空間を閉止するサイドカバー４，４が設けてある。サイドカバー４は、透光性カバー３と同一の材料製であり、例えば、拡散剤が適量添加された半透明なポリカーボネート樹脂製である。サイドカバー４は、透光板部４１と、該透光板部４１に交叉する方向に設けられ、締結部材であるネジ２５，２５が挿通される貫通孔４２ａ，４２ａを有する被係合部である取付板部４２，４２とを備えている。サイドカバー４，４は、透光性カバー３が取付けられた保持部材２の長手方向の端部から外嵌され、貫通孔４２ａ，４２ａ…にネジ２５，２５…を挿通させ、保持部材２の側壁２２，２２に設けられたネジ穴２２ａ，２２ａ…に螺合することにより、保持部材２に固定される。なお、ネジ２５，２５…は、側壁２２，２２の内側に若干突出させてある。
【００３２】
以上のように一体化されてなる照明体としての光源モジュール１０は、取付部材であるプレート５に取付けられる。プレート５は、金属製であり、例えば鉄製である。プレート５は、矩形板部５１と、該矩形板部５１の長辺側の縁部に立設された互いに対向する２つの傾斜板部である２つの側壁５２，５２とを備えている。これら２つの側壁５２，５２は、前述した保持部材２の側壁２２の傾きθと略同一になるように、矩形板部５１から側壁５２の端部に向けて近接する方向に、矩形板部５１の垂線とθ（例えば、１０°）の角度をなして傾斜するように設けてある。なお、この側壁５２の高さ（矩形板部５１から側壁５２の端部までの長さ）は、前述した保持部材２の側壁２２と同様に、後述するネジ２６，２６…を取り付けることが可能な範囲内にて、可能な限り低くしてあることが望ましい。なお、側壁５２の傾きθは、側壁５２の高さを低くした場合においても、ネジ２６，２６…をドライバ等の工具にて締付け作業が行いやすいように、前述した保持部材２の側壁２２と同様に、設定してある。
【００３３】
プレート５（矩形板部５１）の長手方向の長さは、光源モジュール１０の長手方向の長さと略同一になるように、換言すると、光源モジュール１０とプレート５の長手方向の両端部とが略面一になるように構成してある。より詳細には、金属と樹脂の線膨張率の違いを考慮して、光源モジュール１０よりもプレート５の方が僅かに長くなるように設定してある。本実施の形態においては、プレート１１５１（ｍｍ）に対して、光源モジュール１１５０（ｍｍ）であり、隙間は１（ｍｍ）としている。なお、この隙間は、照明装置の形状に応じて適切に設定される。
【００３４】
矩形板部５１の略中央には、矩形状の開口５１ａが設けてある。また矩形板部５１には、取付対象である天井に配設された電力線等の電線を引き込む引込穴５１ｂが設けてある。該引込穴５１ｂには、樹脂製の緩衝リング５３が装着してある。各側壁５２，５２の長手方向の両端部には、係合部である凹部５２ａ，５２ａが夫々設けてある。凹部５２ａは側壁５２の端部を矩形状に切欠いてなる。また、各側壁５２，５２には、ネジ穴５２ｂ，５２ｂが、プレート５に保持部材２を取付けたときに、長手方向の中心が一致するように、貫通穴２２ｂ，２２ｂに整合する位置に夫々設けてある。
【００３５】
矩形板部５１の開口５１ａには、光源モジュール１０（ＬＥＤ１，１…）に電力を供給する電源部である電源モジュール６が取付けられる。電源モジュール６は、一面開口の筐体６１と、該筐体６１の開口の側に取付けられ、電源回路部品等の電子部品が固定される固定板部６２とからなる電源ケースを備えている。この電源ケースは、鉄等の金属製である。筐体６１には、電力線が接続される電源用端子台６３と、調光用の信号線が接続される調光用端子台６４が取付けてある。また、固定板部６２には、コンデンサ、トランス等の電子部品（図示せず）を電源回路基板６５に実装してなる電源回路部と、電子部品を調光回路基板６６に実装してなる調光回路部が、絶縁シート６７を介して取付けてある。外部電源から供給された電力は、電源用端子台６３を介して電源回路部に与えられ、外部の調光器から与えられた信号は、信号用端子台６４を介して調光回路部に与えられる。電源モジュール６は、電源ケースの内部にこれらの部品を予め組み込んで一体化してある。
【００３６】
以上のように構成された照明装置１００は、まず、取付対象である天井１１０（又は天井に設けられた金属製のチャンネル）に、プレート５を矩形板部５１にてボルト等で取り付ける。次に、電源モジュール６を筐体６１の側からプレート５の開口５１ａ及び天井１１０の開口１１０ａに室内（照明装置の主たる照明空間）側から天井（取付対象）１１０の側に挿入して、プレート５にネジにより固定する。そして、電源モジュール６の内部の電源用端子台６３に外部電源の電力線を接続し、調光用端子台６４に外部の調光器に接続された信号線を接続する。そして、予め組み込まれて一体化してある光源モジュール１０を、保持部材２の側を天井側（取付対象側）にして、保持部材２の側壁２２，２２をプレート５の側壁５２，５２に沿って室内側から天井側に移動させる。このとき、プレート５の側壁５２，５２の両端部に夫々設けられた係合部である凹部５２ａ，５２ａ…の端縁に案内されて、保持部材２の側壁２２，２２のネジ穴２２ａ，２２ａ…に螺合されたネジ２５，２５…を移動させることにより取付板部４２，４２…を凹部５２ａ，５２ａ…に係合させるようにしてある。即ち、照明体である光源モジュール１０を複数連接する連接機構は、プレート５の側壁５２，５２の両端部に夫々設けられた係合部である凹部５２ａ，５２ａ…と、該凹部５２ａ，５２ａ…に係合する被係合部である取付板部４２，４２…とを備えてなる。この状態において、図３に示すように、ネジ２６，２６…を、保持部材２の側壁２２，２２に設けられた貫通穴２２ｂ，２２ｂ…に外側から挿通させ、プレート５の側壁５２，５２に設けられたネジ穴５２ｂ，５２ｂ…に螺合させることにより、光源モジュール１０がプレート５に固定されることになり、照明装置１００が天井に取付けられる。このとき、ネジ２６，２６…を取付ける面、換言すると側壁２２，２２の外面が室内側を向くように構成してある。
【００３７】
このように、プレート５の側壁５２，５２及び保持部材２の側壁２２，２２を傾斜させてあるから、光源モジュール１０の保持部材２の側壁２２，２２をプレート５の側壁５２，５２に沿って移動させることができ、取付作業が容易となる。また、係合部である凹部５２ａ，５２ａ…の端縁に案内されて、被係合部であるサイドカバー４，４の取付板部４２，４２…に設けた締結部材であるネジ２６，２６…を移動させることにより、取付板部４２，４２…を凹部５２ａ，５２ａ…に係合させるようにしてあるから、光源モジュール１０とプレート５の位置決めをした状態（長手方向の中心合わせをした状態）にて、光源モジュール１０をプレート５に容易に取付けることができる。なお、本実施の形態においては、光源モジュール１０の保持部材２の側壁２２，２２とプレート５の側壁５２，５２の傾斜角度θを１０°としているが、これに限定されず、設定場所、照明装置の寸法等に応じて適切に設定される。また、本実施の形態においては、係合部として凹部５２ａをプレート５に、被係合部として取付板部４２を光源モジュール１０に夫々設けているが、これに限定されず、プレート５に凸部を、光源モジュール１０に前記凸部に係合する凹部を設けるように構成してもよい。
【００３８】
また、このように取付けられたときに、前述したように、光源モジュール１０とプレート５の長手方向の長さを略同一になるように、換言すると、光源モジュール１０とプレート５の長手方向の両端部とが略面一になるように構成してあるから、後述するように、光源モジュール１０が一連になるように複数の照明装置を連接することが可能となる。
【００３９】
一方、取り外す場合においては、前述した手順を逆に行うことになる。即ち、まず光源モジュール１０とプレート５とを固定しているネジ２６，２６…を緩めて外して、光源モジュール１０を天井１１０側から室内側に移動させてプレート５から取り外し、次に、電源モジュール６とプレート５とを固定しているネジを緩めて外して、電源モジュール６を天井１１０側から室内側に引き抜いてプレート５から取り外す。最後にプレート５を取付対象である天井１１０から取り外す。以上説明したように、照明装置１００の各部品は、天井側から室内側への移動、又は室内側から天井側への移動（上下方向の移動、取付対象と照明空間との間を結ぶ線上の移動）により脱着することができる。これにより、例えば、電源モジュール６のみの交換作業を容易に行うことができる。
【００４０】
以上のように構成された照明装置１００において、外部電源による電力の供給に伴い、電源モジュール６の電源回路部により直流電圧に変換及び整流され、調光回路部により所定の電流及び／電圧の電力が光源モジュール１０に供給され、ＬＥＤ１，１…が所定の調光率にて点灯する。そして、ＬＥＤ１，１…から出射される光が透光性カバー３及びサイドカバー４，４により適宜拡散されて照明装置１００の外部に出射されることになる。透光性カバー３及びサイドカバー４，４を、本実施の形態の如く、拡散剤が適量添加された半透明なポリカーボネート樹脂製とすることにより、指向性を有するＬＥＤ１，１…から出射した光は、透光性カバー３の矩形板部３１及び側壁部３２，３２、並びにサイドカバー４，４により一部が反射されるともに、他の部分が拡散されつつ透過する。この結果、ＬＥＤ１，１…の光出射方向とは異なる方向にも出射することができ、照明装置１００が取付けられる取付対象である天井１１０の方向まで配光を広げることができる。即ち、透光性カバー３（及びサイドカバー４，４）を前述の如く形成して設けるという簡易な構造により、室内等の照明装置の主たる照明空間に加えて、天井１１０を明るく照明することが可能となる。換言すると、透光性カバー３の矩形板部３１及び側壁部３２，３２、並びにサイドカバー４，４が、ＬＥＤ１，１…の光出射方向とは異なる方向にも出射可能とする出射部、及び指向性を有するＬＥＤ１，１…から出射した光を室内等の照明装置の主たる照明空間に加えて、天井等の取付対象を明るく照明することを可能とするための配光部として機能する。なお、透光性カバー３及びサイドカバー４，４は、本実施の形態においては、拡散剤が適量添加された半透明なポリカーボネート樹脂製としているが、これに限定されず、光拡散性を有する材料製であればよく、また、ＬＥＤ１，１…から出射した光を適宜拡散又は反射させることにより、ＬＥＤ１，１…の光出射方向とは異なる方向にも出射可能に構成してあればよい。
【００４１】
この照明装置１００においては、前述したように、プレート５の側壁５２，５２及び保持部材２の側壁２２，２２の高さを可能な限り低くしてあるから、光源本体であるＬＥＤ１，１…は取付部材であるプレート５の矩形板部５１、換言すると取付対象である天井１１０の下面に近接させて設けられることになる。この結果、照明装置１００近傍の取付対象である天井１１０に生じる影を少なくすることができ、天井１１０を明るく照明することができる。
【００４２】
また、プレート５及び保持部材２に設けられた互いに対向する２つの傾斜板部である側壁２２，２２、５２，５２は、保持部分である保持板部２１の一面２１ａから取付部材であるプレート５の矩形板部５１に向けて離隔する方向に傾斜させてあり、側壁２２，２２、５２，５２にてプレート５及び保持部材２を連結するように構成してある。照明装置１００を取付対象である天井１１０に取り付ける場合に、プレート５及び保持部材２をネジ２６，２６…により固定して連結するときに、側壁２２，２２、５２，５２をプレート５の矩形板部５１の側が広がるように傾斜させて、前述したように、ネジ２６，２６…を取付ける面、換言すると側壁２２，２２の外面が室内側を向くように構成しているから、ドライバ等の工具の柄（作業者が把持する部分）と取付対象である天井１１０との間隔を適宜確保することが可能となり、ドライバ等の工具を用いた作業を容易に行うことができる。よって、照明装置１００の照明体である光源モジュール１０の取付作業の作業性を確保しつつ取付部材であるプレート５を薄くして、指向性を有するＬＥＤ１，１…及びＬＥＤ基板１１を有してなる光源を天井１１０に近づけることができ、天井１１０に生じる影を少なくして、天井１１０を明るく照明することができる。
【００４３】
そして、ＬＥＤ１，１…は、配光特性がランバート分布である指向性が強い光源であり、前述した如く簡易な構造により、照明装置１００が取付けられる取付対象である天井１１０の方向まで配光を広げることができ、室内等の照明装置１００の主たる照明空間に加えて、天井１１０等の取付対象を明るく照明することができる。
【００４４】
以上のように構成された照明装置１００は、電源部である電源モジュール６を備えているが、電源モジュール６を備えていない照明装置についても同様に構成することができる。図５は、電源モジュール６を備えていない照明装置１０１の模式的正面図である。図６は、電源モジュール６を備えていない照明装置１０１の模式的平面図である。
【００４５】
照明装置１０１においては、電源モジュール６を備えていないから、プレート５ａの矩形板部５１に電源モジュール６を取付けるための開口が設けていない。また、矩形板部５１に外部電源からの電力線等の電線を引き込む引込穴が設けていない。その他の構成は、図２及び図４に示す照明装置１００と同様であるため、対応する構成部材に図２及び図４と同一の参照符号を付して、その構成及び動作の詳細な説明を省略する。
【００４６】
この照明装置１０１においても、前述した照明装置１００と同様の効果を得ることができ、透光性カバー３（及びサイドカバー４，４）を前述の如く設けるという簡易な構造により、照明装置１０１が取付けられる天井１１０等の取付対象の方向まで配光を広げることができ、室内等の照明装置１０１の主たる照明空間に加えて、天井１１０を明るく照明することが可能となる。
【００４７】
以上のように構成された照明装置１００，１０１の光源モジュール１０，１０は、取付対象に複数連接して設けることができる。図７は、光源モジュール１０，１０…を複数連接してなる照明装置の説明図である。図７は、天井１１０に光源モジュール１０，１０…を複数連接した例を示しており、天井１１０の端である壁１１１の際まで隙間なく取付けてある例である。
【００４８】
本実施の形態においては、第１の照明体である電源モジュール６を備える照明装置１００の光源モジュール１０と第２の照明体である電源モジュール６を備えない照明装置１０１の光源モジュール１０とが交互になるように配置してある。照明装置１００は、該照明装置１００の電源部である電源モジュール６から照明装置１０１の光源である光源モジュール１０に電力を供給するように構成してある。即ち、１台の照明装置１００と１台の照明装置１０１の２台で１組となるように構成してある。取付対象に取付けられる照明装置の総数が奇数の場合、余りの照明装置として、図７に示すように、電源モジュール６を備える独立した照明装置１００ａを設置する。
【００４９】
このように複数の照明装置を連接して取付対象に取付ける場合、まず、プレート５，５ａを連接して取付ける。そして、前述したように、電源モジュール６、光源モジュール１０の順に取付ける。光源モジュール１０とプレート５の長手方向の両端部とが略面一になるように、光源モジュール１０よりもプレート５の方が僅かに長くなるように設定してあるから、光源モジュール１０，１０…間に隙間ｇが生じる。隙間ｇは、本実施の形態においては１（ｍｍ）である。この結果、図７に示すように、取付対象である天井１１０の端（壁１１１の際）まで隙間なく、一連の発光面になるようにすることができる。また、金属であるプレート５と樹脂である光源モジュール１０の透光性カバー３及びサイドカバー４，４の線膨張率の違いを考慮して隙間ｇを設定してあるから、点灯等に伴って、照明装置の温度が上昇した場合においても、照明装置の透光性カバー３等の部品が損傷を受けることなく、一連の発光面を得ることが可能である。
【００５０】
そして、透光性カバー３と透光性のサイドカバー４，４によりＬＥＤ１，１…を含む光源を保持する保持板部２１の一面２１ａを覆っている（ＬＥＤ１，１…の光出射方向から保持板部２１の一面２１ａの縁部までの範囲を覆っている）から、照明装置を複数連接したときに、照明体である光源モジュールと光源モジュールとの間に影がほとんどできず、光源モジュール間の継ぎ目を目立たなくすることができ、綺麗な一連の発光面を得ることができる。
【００５１】
また、電源モジュール６を備える照明装置１００，１００ａが設置される取付対象である天井１１０には、前述したように、電源モジュール６に対応する寸法の開口１１０ａを天井１１０に設けているから、電源モジュール６が天井１００に埋め込まれることになる。この結果、室内（照明空間）に突出する照明装置１００，１０１，１００ａの面を面一にすることができる。
【００５２】
また、以上のように構成した照明装置を複数連接することにより、例えば、複数のうち１つの光源モジュール又は照明装置を交換するために他の光源モジュール又は照明装置を取外す必要はなく、メンテナンス性が良好である。
【００５３】
なお、図７には、複数の照明装置として、電源モジュール６を備える照明装置１００と、電源モジュール６を備えない照明装置１０１と、電源モジュール６を備える独立した照明装置１００ａとを組み合わせて用いているが、組み合わせはこれに限定されない。電源モジュール６を備える照明装置のみにより構成してもよいし、電源モジュール６を備えない照明装置１０１のみにより構成してもよい。また、１台の照明装置１００と１台の照明装置１０１の２台で１組となるように構成してあるが、１台の照明装置１００と２台以上の照明装置１０１で１組となるように構成してもよい。
【００５４】
以上の実施の形態においては、プレート５の矩形板部５１を矩形板状としており、長手方向の端部を直線状としているが、これに限定されず、例えば、図８のように形成してもよい。図８は、プレートの他の例を示す図であり、２種類の異なる端部を有するプレート５ｂ，５ｃを用いている。
【００５５】
プレート５ｂには、矩形板部５１の長手方向の両端部に台形状の凹部５１ｄが設けてある。プレート５ｃには、矩形板部５１の長手方向の両端部に凹部５１ｄに係合する台形状の凸部５１ｅが設けてある。このように、プレート５ｂ，５ｃの矩形板部５１の長手方向の両端部を互いに係合可能なように構成することにより、複数の照明装置を連接するときに、直線状に設けることが容易となり、作業性が向上する。なお、天井１１０の端である壁１１１の際に設けられるプレートとしては、凹部５１ｄを有するプレート５ｂ又は、凸部５１ｅを一方の端部のみに設けたプレート５ｃが望ましい。
【００５６】
また、取付部材であるプレート５を光源モジュール１０，１０…毎に設けているが、これに限定されず、複数の光源モジュール１０，１０…が取付けることができるプレートを用いてもよい。
【００５７】
なお、以上の実施の形態においては、光源本体として表面実装型ＬＥＤを用いているが、これに限定されず、他のタイプのＬＥＤ、ＥＬ（Ｅｌｅｃｔｒｏ  Ｌｕｍｉｎｅｓｃｅｎｃｅ）等を用いてもよい。
【００５８】
また、以上の実施の形態においては、照明装置を天井に設置した例について述べたが、該照明装置は、天井以外の取付対象、例えば、壁等にも設置することができ、その他、特許請求の範囲に記載した事項の範囲内において種々変更した形態にて実施することが可能であることは言うまでもない。
【符号の説明】
【００５９】
１  ＬＥＤ（光源）
１１  ＬＥＤ基板（光源）
２  保持部材（保持部材）
２２  側壁（傾斜板部）
３  透光性カバー
４  サイドカバー
４１  透光板部
４２  取付板部（被係合部）
２５  ネジ（締結部材）
１０  光源モジュール（照明体）
５  プレート（取付部材）
５１  矩形板部
５２  側壁（傾斜板部）
５２ａ  凹部（係合部）
６  電源モジュール（電源部）
１１０  天井（取付対象）
【図１】
2011014317.tif 000003
【図２】
2011014317.tif 000004
【図３】
2011014317.tif 000005
【図４】
2011014317.tif 000006
【図５】
2011014317.tif 000007
【図６】
2011014317.tif 000008
【図７】
2011014317.tif 000009
【図８】
2011014317.tif 000010